(57)【要約】  実施形態によるカバー組立体は、第１方向に延長形成された第１溝、および前記第１方向に前記第１溝と並んで延長形成された第２溝を含むカバーと、前記第１溝および前記第２溝それぞれに位置する第１ワイヤーおよび第２ワイヤー、および温度センサーに連結されている第３ワイヤーを含み、前記カバーの一側と前記上部カバーの第１面にかけて位置するワイヤー組立体と、前記ワイヤー組立体の形状に沿って延びていると共に、前記カバーに結合されて前記ワイヤー組立体を固定させるボトムカバーとを含む。
2020511762.tif 000002
【特許請求の範囲】
【請求項１】
複数の二次電池セルを格納するためのカバー組立体において、
第１方向に延長形成された第１溝、および前記第１方向に前記第１溝と並んで延長形成された第２溝を含むカバーと、
前記第１溝および前記第２溝それぞれに位置する第１ワイヤーおよび第２ワイヤー、および温度センサーに連結されている第３ワイヤーを含み、前記カバーの一側と上部カバーの第１面にかけて位置するワイヤー組立体と、
前記ワイヤー組立体の形状に沿って延びていると共に、前記カバーに結合されて前記ワイヤー組立体を固定させるボトムカバーとを含む、カバー組立体。
【請求項２】
前記第３ワイヤーは、前記ワイヤー組立体から分岐され、前記一側に対向する方向に前記温度センサーに引込まれる、請求項１に記載のカバー組立体。
【請求項３】
前記温度センサーは、第３溝に挿入されており、
前記第３溝は前記第１溝に繋がっていると共に前記第１溝より深い、請求項１または２に記載のカバー組立体。
【請求項４】
前記ボトムカバーは、
前記ワイヤー組立体のうち前記カバーの上部面に位置する部分を覆うためのメインボトムカバーと、
前記第１ワイヤーおよび前記第２ワイヤーそれぞれを覆うための第１および第２サブボトムカバーとを含む、請求項１〜３のいずれか一項に記載のカバー組立体。
【請求項５】
前記メインボトムカバーは、
前記メインボトムカバーの一側に形成された少なくとも二つの凹部、および前記メインボトムカバーの他側に形成された少なくとも二つのフックを含む、請求項４に記載のカバー組立体。
【請求項６】
前記カバーは、
前記メインボトムカバーの少なくとも二つの溝の位置に対応する位置に形成された少なくとも二つの凸部、および前記メインボトムカバーの少なくとも二つのフックに対応する位置に形成された少なくとも二つの溝を含む、請求項５に記載のカバー組立体。
【請求項７】
前記第１サブボトムカバーは、前記第１溝に沿って延びていると共に、前記第１サブボトムカバーの一端に前記メインボトムカバーの下に入る延長部を含み、
前記第２サブボトムカバーは、前記第２溝に沿って延びていると共に、前記第２サブボトムカバーの一端に前記メインボトムカバーの下に入る延長部を含む、請求項４〜６のいずれか一項に記載のカバー組立体。
【請求項８】
前記第１サブボトムカバーは、
前記カバーに前記第１溝に繋がって形成された第３溝において、前記カバーに前記第１サブボトムカバーを結合させるフック、および垂直方向に曲がって前記カバーに密着する延長部をさらに含む、請求項７に記載のカバー組立体。
【請求項９】
前記温度センサーは、
前記第３溝で挿入される、請求項８に記載のカバー組立体。
【請求項１０】
前記ワイヤー組立体は、
前記ワイヤー組立体の一端に連結されている第１コネクタと、
前記ワイヤー組立体の他端に連結されている第２コネクタと、
前記ワイヤー組立体から分岐された前記第１ワイヤーおよび前記第２ワイヤーが結合される中間に連結されている第３コネクタとを含む、請求項１〜９のいずれか一項に記載のカバー組立体。
【請求項１１】
前記カバーに、前記第２コネクタおよび前記第３コネクタにそれぞれに連結される第４コネクタおよび第５コネクタが位置する、請求項１０に記載のカバー組立体。
【請求項１２】
複数の二次電池を含むセルアセンブリと、
前記セルアセンブリの第１面、一側、および他側を囲みながら前記セルアセンブリに装着される第１カバー組立体と、
前記第１カバー組立体と噛み合っていると共に、前記セルアセンブリの前記第１面と対向する第２面、前記一側、および前記他側を囲みながら前記セルアセンブリに装着される第２カバーとを含み、
前記第１カバー組立体は、
第１方向に延長形成された第１溝および前記第１方向に前記第１溝と並んで延長形成された第２溝それぞれに位置する第１ワイヤーおよび第２ワイヤー、および温度センサーに連結されている第３ワイヤーを含むワイヤー組立体と、
前記ワイヤー組立体の形状に沿って延びていると共に前記ワイヤー組立体を固定させるボトムカバーとを含む、バッテリーモジュール。
【請求項１３】
前記温度センサーは、第３溝に挿入されており、
前記第３溝は前記第１溝に繋がっていると共に前記第１溝より深い、請求項１２に記載のバッテリーモジュール。
【請求項１４】
前記第３ワイヤーは、前記ワイヤー組立体から分岐され、前記第１カバー組立体の一側に対向する方向に前記温度センサーに引込まれる、請求項１３に記載のバッテリーモジュール。
【請求項１５】
前記ボトムカバーは、
前記ワイヤー組立体のうち前記第１カバー組立体の上部面に位置する部分を覆うためのメインボトムカバーと、
前記第１ワイヤーおよび前記第２ワイヤーそれぞれを覆うための第１および第２サブボトムカバーとを含む、請求項１２または１３に記載のバッテリーモジュール。
【請求項１６】
前記第１サブボトムカバーは、前記第１溝に沿って延び、前記第２サブボトムカバーは、前記第２溝に沿って延びる、請求項１５に記載のバッテリーモジュール。
【請求項１７】
前記第１サブボトムカバーは、
前記第１溝に繋がって形成された第３溝において、前記第１カバー組立体に前記第１サブボトムカバーを結合させるフックおよび垂直方向に曲がって前記第１カバー組立体に密着する延長部を含む、請求項１６に記載のバッテリーモジュール。
【請求項１８】
前記第１サブボトムカバーの一端に前記メインボトムカバーの下に入る延長部を含み、
前記第２サブボトムカバーの一端に前記メインボトムカバーの下に入る延長部を含む、請求項１６に記載のバッテリーモジュール。
【発明の詳細な説明】
【技術分野】
【０００１】
［関連出願との相互引用］
本出願は２０１７年１１月３日付韓国特許出願第１０−２０１７−０１４６２８５号に基づいた優先権の利益を主張し、当該韓国特許出願の文献に開示されたすべての内容は本明細書の一部として含まれている。
【０００２】
本発明はカバー組立体およびこれを含むバッテリーモジュールに関する。
【背景技術】
【０００３】
従来技術によるバッテリーモジュールでは、ワイヤーハーネス（Ｗｉｒｅ  Ｈａｒｎｅｓｓ、以下、Ｗ／Ｈ）組立部が結合される上部カバー部分以外の周辺空間にもリブ（ｒｉｂ）が形成されている。これにより、非効率的な空間が生じ、上部ケースに空いている空間だけバッテリーモジュールが格納できる空間も減少する。これはバッテリーモジュールに格納されるバッテリーセルのサイズを制限する原因となる。
【０００４】
従来に適用されたリブを除去する場合、Ｗ／Ｈのワイヤーが急激に折れ曲がる問題が発生する。また、リブの除去による温度センサー（Ｔｈｅｒｍｉｓｔｏｒ）の形状変更の必要性が発生する。
【発明の概要】
【発明が解決しようとする課題】
【０００５】
本発明は、Ｗ／Ｈが組み立てられた新たな構造のカバー組立体およびこれを含むバッテリーモジュールを提供する。
【課題を解決するための手段】
【０００６】
発明の一特徴による複数の二次電池セルを格納するためのカバー組立体は、第１方向に延長形成された第１溝、および前記第１方向に前記第１溝と並んで延長形成された第２溝を含むカバーと、前記第１溝および前記第２溝それぞれに位置する第１ワイヤーおよび第２ワイヤー、および温度センサーに連結されている第３ワイヤーを含み、前記カバーの一側と上部カバーの第１面にかけて位置するワイヤー組立体と、前記ワイヤー組立体の形状に沿って延びていると共に、前記カバーに結合されて前記ワイヤー組立体を固定させるボトムカバーとを含み得る。
【０００７】
発明の一特徴によるバッテリーモジュールは、複数の二次電池を含むセルアセンブリと、前記セルアセンブリの第１面、一側、および他側を囲みながら前記セルアセンブリに装着される第１カバー組立体と、前記第１カバー組立体と噛み合っていると共に、前記セルアセンブリの前記第１面と対向する第２面、前記一側、および前記他側を囲みながら前記セルアセンブリに装着される第２カバーとを含み得る。前記第１カバー組立体は、第１方向に延長形成された第１溝および前記第１方向に前記第１溝と並んで延長形成された第２溝それぞれに位置する第１ワイヤーおよび第２ワイヤー、および温度センサーに連結されている第３ワイヤーを含むワイヤー組立体と、前記ワイヤー組立体の形状に沿って延びていると共に前記ワイヤー組立体を固定させるボトムカバーとを含み得る。
【０００８】
実施形態によりＷ／Ｈが組み立てられた新たな構造のカバー組立体およびこれを含むバッテリーモジュールを提供する。
【図面の簡単な説明】
【０００９】
【図１】バッテリーモジュールの構成を概略的に示す斜視図である。
【図２】図１に示すバッテリーモジュールに格納されるセルアセンブリを示す斜視図である。
【図３】実施形態による上部カバー組立体の分解図である。
【図４】Ｗ／Ｈが組み立てられた上部カバーをｚ軸に沿って上から下に見た平面図である。
【図５】Ｗ／Ｈが組み立てられた上部カバーの一部を拡大した図である。
【図６】Ｗ／Ｈが組み立てられた上部カバーの一部を再拡大した図である。
【図７】ボトムカバー、温度センサー、およびＷ／Ｈの組み立てを示す図である。
【図８】ボトムカバー、Ｗ／Ｈ、および上部カバーの組み立てを示す図である。
【図９】図４でＡ−Ａ’に沿った断面のうち一部を示す斜視図である。
【発明を実施するための形態】
【００１０】
実施形態によるバッテリーモジュールでは、Ｗ／Ｈ組み立ての位置を変更することによってバッテリーセルを格納できる空間をさらに確保してバッテリーモジュールに格納されるバッテリーセルの容量が増加することができる。
【００１１】
以下、実施形態で説明するように、Ｗ／Ｈのワイヤー直径を減少させるためにＷ／Ｈのワイヤー組立体を２本に分け、従来には用いられなかったバッテリーモジュールカバーの間の空間に組み立てる。以下、ワイヤー組立体は一つ以上のワイヤーの束であり、ワイヤー組立体を構成するワイヤーは互いに連結されていない。以下、ワイヤー組立体を単にワイヤーと記載する。
【００１２】
また、実施形態では、温度センサーの形状および温度センサーがバッテリーモジュールカバーに結合される固定構造を変更してリブがなくなって狭くなった空間に温度センサーが固定されるようにする。
【００１３】
例えば、温度センサーに連結されるＷ／Ｈのワイヤーがバッテリーモジュールカバーで側面方向に引込まれ得る。これにより、温度センサーに連結されるＷ／Ｈのワイヤーが上部カバーの空間縮小によって急激に折れ曲がる内部半田づけ（ｓｏｌｄｅｒｉｎｇ）が損傷する問題を解決することができる。
【００１４】
この時、バッテリーモジュールの上部カバーで温度センサーに連結されるＷ／Ｈのワイヤーを固定するための従来のフック（ｈｏｏｋ）構造をなくして実施形態によるボトムカバー（Ｂｏｔｔｏｍ  ｃｏｖｅｒ）を用いてＷ／Ｈを固定することができる。ボトムカバーを用いると、上部カバーにフック構造を除去してその形状をシンプルにし、その高さを低くすることができる。
【００１５】
以下、図面を参照して実施形態を説明する。
【００１６】
図１はバッテリーモジュールの構成を概略的に示す斜視図であり、図２は図１に示すバッテリーモジュールに格納されるセルアセンブリを示す斜視図である。
【００１７】
図１に示すように、実施形態によるバッテリーモジュール１は、上部カバー組立体２、下部カバー３、第１側面カバー４、第２側面カバー５、およびセルアセンブリ１００を含む。
【００１８】
図２に示すように、セルアセンブリ１００は、複数の二次電池１１０を含む二次電池の集合体である。セルアセンブリ１００は、複数のパウチ型二次電池を含み得、複数のパウチ型二次電池は一方向、例えば図２に示すようにｙ軸方向に配列され得る。
【００１９】
それぞれのパウチ型二次電池１１０は、電極リード１１１を含み、このような電極リード１１１には正極リードおよび負極リードが含まれ得る。ここで、それぞれの電極リード１１１は、図２に示すように、プレート形態で構成されてパウチ外装材の外部に突出する。特に、各パウチ型二次電池の電極リード１１１は、ｘ軸方向に突出し、端部がｙ軸方向を基準とするとき左側または右側に曲がる。左方向（または右方向）に曲がった電極リード１１１は隣接する他の二次電池の右方向（または左方向）に曲がった電極リード１１１と当接し得る。そして、このように当接した２個の電極リード１１１は互いに溶接等により固定され得、これによりセルアセンブリ１００の内部の二次電池間の電気的接続がなされる。
【００２０】
一方、セルアセンブリ１００は、複数のパウチ型二次電池を配列するためにカートリッジ（図示せず）を備える。カートリッジは二次電池の配列に用いる構成要素として、二次電池をホールディングしてその流動を防止し、複数の二次電池の配列がガイドされるようにする。このようなカートリッジは、中央の部分が空いている四角リング形態で構成され得る。この場合、カートリッジの四角は二次電池の外周部に位置し得る。
【００２１】
上部カバー組立体２は、セルアセンブリ１００の上部面、一側、および他側を囲みながらセルアセンブリ１００に装着され得る。下部カバー３は、上部カバー組立体２と噛み合っていると共に、セルアセンブリ１００の下部面、一側、および他側を囲みながらセルアセンブリ１００に装着され得る。
【００２２】
上部カバー組立体２および下部カバー３の内面にはセルアセンブリ１００の外周面が挿入されるための多数の装着溝が形成され得る。また、上部カバー組立体２および下部カバー３それぞれにおいてセルアセンブリ１００の一側および他側に対応する部分は、セルアセンブリ１００の一側および他側に位置する突出した複数の電極および複数の電極リードの部分に装着される構造を含み、該当構造は、複数の電極リードに電気的に接続されて複数の二次電池それぞれのセル電圧をセンシングするための構成を含み得る。
【００２３】
第１側面カバー４および第２側面カバー５それぞれは上部カバー組立体２および下部カバー３がセルアセンブリ１００に結合された構造で一側および他側それぞれに装着され得る。
【００２４】
上部カバー組立体２は、上部カバー１０、Ｗ／Ｈ２０、およびボトムカバー３０を含む。上部カバー１０の上部面と一側に形成された空間にＷ／Ｈ２０が組み立てられ、Ｗ／Ｈ２０を上部カバー組立体２に固定するためのボトムカバー３０が上部カバー１０に結合され得る。
【００２５】
図３は実施形態による上部カバー組立体の分解図である。図４はＷ／Ｈが組み立てられた上部カバーをｚ軸に沿って上から下に見た平面図である。図５はＷ／Ｈが組み立てられた上部カバーの一部を拡大した図である。図６はＷ／Ｈが組み立てられた上部カバーの一部を再拡大した図である。
【００２６】
図３に示すように、Ｗ／Ｈ２０は電気的に接続されている複数のワイヤー（２１−２４）、および複数のコネクタ（２５−２７）を含む。ワイヤー２１は他のワイヤー（２２−２３）の束であり得る。コネクタ２７はバッテリー管理システム（図示せず）に連結され得る。
【００２７】
ワイヤー２１の一端にコネクタ２７が連結されており、ワイヤー２１の他端にコネクタ２６が連結されており、ワイヤー２１から分岐されたワイヤー２２およびワイヤー２３が結合される中間にコネクタ２５が連結され得る。
【００２８】
上部カバー１０の上部面には従来に比べてリブが除去された形状である。実施形態では、Ｗ／Ｈ２０を組み立てる二つの溝（１０１，１０２）が上部カバー１０の上部面にｘ軸方向に並んで延長形成されている。二つのワイヤー（２２，２３）はワイヤー２１から分岐され、ワイヤー２２は溝１０２に位置し、ワイヤー２３は溝１０１に位置する。ワイヤー２４はワイヤー２１から分岐されて温度センサー２００に電気的に接続されている。
【００２９】
温度センサー２００は、図３に示すように、溝１３に挿入される部分および溝１０２が形成された方向、例えば、ｘ軸方向に延びた部分を含み得る。
【００３０】
上部カバー１０の一側および一側に隣接する上部面の所定領域には、ワイヤー２１を位置させるための空間が形成され、上部カバー１０の一側にはコネクタ２７を固定させるためのフックのような構造が形成され得る。
【００３１】
例えば、図３に示すように、コネクタ２７は、上部カバー１０の一側の角に隣接して位置する二つのフック（３０１，３０２）の間に固定され得る。コネクタ２７から繋がるワイヤー２１は、上部カバー１０の一側に形成された空間３０３および図４に示す上部カバー１０の上部面に形成された空間３０４に位置し得る。
【００３２】
図４に示すように、上部カバー１０の上部面にはコネクタ２５と結合されるコネクタ１１が図４を基準に下部中央に位置し、コネクタ２６と結合されるコネクタ１２が図４を基準に上部中央において右側に位置し得る。図３に示すように、ワイヤー２１の一端はコネクタ２７に連結されており、ワイヤー２１の他端はコネクタ２６に連結されている。
【００３３】
図４に示すように、上部カバー１０の上部面に形成された溝１３に温度センサー２００が位置し、ワイヤー２４はワイヤー２１からｘ軸方向に分岐され、温度センサー２００に引込まれる。
【００３４】
図５および図６を参照すると、溝１３は溝１０１に繋がって位置し、ｚ軸方向に溝１０１よりさらに深さ形成される。溝１３に温度センサー２００が挿入され、温度センサー２００が挿入された空間の上にワイヤー２２が位置する。このように、ワイヤー２２が溝１０１に位置するとき、ワイヤー２２の下の空間に温度センサー２００が挿入されるように、溝１３の位置が決定され、温度センサー２００の形状を考慮して溝１３の形態が決定され得る。
【００３５】
図５に示すように、Ｗ／Ｈ２０が上部カバー１０に組み立てられた後、ボトムカバー３０が上部カバー１０に結合される。
【００３６】
図３に示すように、ボトムカバー３０は、ワイヤー２２を覆うための第１サブボトムカバー３４、ワイヤー２３を覆うための第２サブボトムカバー３５、コネクタ２５を覆うための第３サブボトムカバー３６、およびワイヤー２１を覆うためのメインボトムカバー３１を含む。第１サブボトムカバー３４および第２サブボトムカバー３５は、メインボトムカバー３１と第３サブボトムカバー３６との間に並んでｘ軸方向に延び、メインボトムカバー３１はｙ軸方向に延びる。第１サブボトムカバー３４の一端はメインボトムカバー３１と結合され、第１サブボトムカバー３４の他端は第３サブボトムカバー３６に結合され、第２サブボトムカバー３５の一端はメインボトムカバー３１と結合され、第２サブボトムカバー３５の他端は第３サブボトムカバー３６に結合される。
【００３７】
図５に示すように、上部カバー１０において、空間３０４に隣接する上部面には複数の凸部（１４１−１４４）が位置し、上部カバー１０の内部面３０４には支え部（１６１−１６５）が位置する。
【００３８】
支え部（１６１−１６５）それぞれはｚ軸方向に沿って延びた凸の形態でｙ軸方向に沿って配列されている場合を示している。支え部（１６１−１６５）がメインボトムカバー３１を支え、メインボトムカバー３１が複数の凸部（１４１−１４４）に挿入され得る。したがって、支え部（１６１−１６５）は、上部カバー１０の上部面からメインボトムカバー３１の厚さだけ離隔した距離に位置し得る。図５では、支え部（１６１−１６５）が短いバー形態で図示されているが、発明はこれに限定されるものではない。メインボトムカバー３１を支えられる形状で、空間３０４にワイヤー２１が位置できる空間を提供できれば良い。内部面３０４と対向する内部面３０６にはメインボトムカバー３１と結合するための二つの溝（１５１，１５２）が形成されている。
【００３９】
図３に示すように、メインボトムカバー３１には上部カバー１０に形成された複数の凸部（１４１−１４４）に挿入される複数の凹部（３３１−３３４）が形成されており、上部カバー１０の一側に形成された二つの溝（１５１，１５２）に挿入される二つのフック（３２１，３２２）が形成されている。
【００４０】
実施形態で上部カバー１０、ボトムカバー３０等に形成された溝、フック、凹凸部などの個数は一例示であり、発明はこれに限定されるものではない。溝、フック、凹凸部などは上部カバー１０とボトムカバー３０との間の結合がなされるように適切な個数で形成され得る。
【００４１】
図７はボトムカバー、温度センサー、およびＷ／Ｈの組み立てを示す図である。
【００４２】
図７では説明の便宜上Ｗ／Ｈ２０において、ワイヤー２１、ワイヤー２２、およびワイヤー２４のみが示されている。
【００４３】
第１サブボトムカバー３４の一端にはメインボトムカバー３１と結合時に、メインボトムカバー３１の下にくる延長部３７１が位置し得る。延長部３７１は、第１サブボトムカバー３４の上部面を基準にメインボトムカバー３１の厚さだけ下位置し得る。延長部３７１は、メインボトムカバー３１を支える役割を提供し得る。
【００４４】
第１サブボトムカバー３４の一端に隣接する側部には上部カバー１０に第１サブボトムカバー３４を結合させるためのフック３８１が位置し得る。第１サブボトムカバー３４でフック３８１の隣りには溝１３内に挿入されて上部カバー１０に密着する延長部３９１が第１サブボトムカバー３４の上部面を基準に直角方向に折れ曲がって位置し得る。この時、延長部３９１は上部カバー１０の密着面方向に押す弾性を持つことができる。
【００４５】
上部カバー１０において、第２溝１０１に繋がって位置する溝の形状も溝１３と同一であり得る。したがって、第２サブボトムカバー３５も第１サブボトムカバー３４の延長部３７１、フック３８１、および延長部３９１と同じ構成を含み得る。
【００４６】
図７で第１サブボトムカバー３４は、温度センサー２００およびワイヤー２２を覆いながらワイヤー２２および温度センサー２００を固定させることができる。ワイヤー２４はやわらかい曲線形態でワイヤー２１から分岐されてｘ軸方向に温度センサー２００に引込まれ得る。
【００４７】
図８はボトムカバー、Ｗ／Ｈ、および上部カバーの組み立てを示す図である。
【００４８】
図８において延長部３７２は、第２サブボトムカバー３５の一端に位置する構成であり、延長部３７１および延長部３７２がメインボトムカバー３１の下にくることを示すために点線で示されている。
【００４９】
図８に示すように、溝（１５１，１５２）にはメインボトムカバー３１のフック（３２１，３２２）が結合され、上部カバー１０の凸部（１４１−１４４）それぞれは対応するメインボトムカバー３１の凹部（３３１−３３４）と噛み合って結合される。
【００５０】
図９は図４でＡ−Ａ’に沿った断面のうち一部を示す斜視図である。
【００５１】
上部カバー１０において、隣接する二つの二次電池（１１０Ａ、１１０Ｂ）それぞれの電極リード（１１１Ａ、１１１Ｂ）が曲がって連結される空間を提供するための凸部１７が形成されている。図９に示すように、凸部１７に隣接する凸部１８と凸部１７との間に溝１０１が形成され、溝１０１にワイヤー２２が組み立てられ、凸部１８に隣接する凸部１９と凸部１８との間に溝１０２が形成され、溝１０２にワイヤー２２が組み立てられる。
【００５２】
このように、実施形態による上部カバー組立体では従来に位置していたリブを除去することができ、バッテリーセルを格納できる空間をさらに確保し、バッテリーモジュールに格納されるバッテリーセルの容量を増加させることができる。また、実施形態は、リブがなくなって狭くなった空間に適合した形状の温度センサーおよび温度センサーが固定される構造を提供することができる。
【００５３】
上記説明では上部および下部を区分して記載したが、これは図面を基準に説明するための区分であり、発明はこれに限定されるものではない。
【符号の説明】
【００５４】
１  バッテリーモジュール
２  上部カバー組立体
３  下部カバー
４  第１側面カバー
５  第２側面カバー
１０  上部カバー
１１  コネクタ
１２  コネクタ
１３  溝
１７  凸部
１８  凸部
１９  凸部
２０  Ｗ／Ｈ
２１−２４  ワイヤー
２５−２７  コネクタ
３０  ボトムカバー
３１  メインボトムカバー
３４  第１サブボトムカバー
３５  第２サブボトムカバー
３６  第３サブボトムカバー
１００  セルアセンブリ１０１−１０２  溝
１１０  二次電池
１１０Ａ  二次電池
１１０Ｂ  二次電池
１１１  電極リード
１１１Ａ  電極リード
１１１Ｂ  電極リード
１４１−１４４  凸部
１５１  溝
１５２  溝
１６１−１６５  支え部
２００  温度センサー
３０１  フック
３０２  フック
３０３  空間
３０４  空間
３０４  内部面
３０６  内部面
３２１  フック
３２２  フック
３３１−３３４  凹部
３７１  延長部
３７２  延長部
３８１  フック
３９１  延長部
【図１】
2020511762.tif 000003
【図２】
2020511762.tif 000004
【図３】
2020511762.tif 000005
【図４】
2020511762.tif 000006
【図５】
2020511762.tif 000007
【図６】
2020511762.tif 000008
【図７】
2020511762.tif 000009
【図８】
2020511762.tif 000010
【図９】
2020511762.tif 000011
【国際調査報告】
2020511762.tif 000012
2020511762.tif 000013
2020511762.tif 000014
2020511762.tif 000015